(57)【要約】【課題】省エネ性に優れる空調システムを提供する。【解決手段】空調システム１００は、チラーユニット２０（熱源装置）と、エアハンユニット３０（空気調和装置）と、システム制御部９０（制御部）と、を備える。チラーユニット２０は、水を加熱又は冷却して吐出する。エアハンユニット３０は、空気熱交換器３３を有する。空気熱交換器３３は、通過する外気ＯＡと、チラーユニット２０から吐出される吐出水と、を熱交換させる。エアハンユニット３０は、空気熱交換器３３を通過した空気を給気ＳＡとして対象空間ＳＰに送る。システム制御部９０は、目標水温Tw,upを設定する。目標水温Tw,upは、吐出水の温度の目標値である。システム制御部９０は、目標給気温度Tsa（空気熱交換器３３を通過した空気の温度の目標値）と、外気温度Toaと、に基づいて、目標水温Tw,upを設定する。【選択図】図２
2018173221.tif 000002
【特許請求の範囲】
【請求項１】
水を加熱又は冷却して吐出する熱源装置（２０）と、
通過する空気（ＯＡ、ＩＡ）と前記熱源装置から吐出される吐出水（Ｗ）とを熱交換させる熱交換器（３３）を有し、前記熱交換器を通過した空気（ＳＡ）を対象空間（ＳＰ）に送る空気調和装置（３０、３０ａ、３０ｂ）と、
前記吐出水の温度の目標値である目標水温を設定する制御部（９０）と、
を備え、
前記制御部は、前記熱交換器を通過した空気の温度の目標値と、外気温と、に基づいて前記目標水温を設定する、
空調システム（１００、１００ａ、１００ｂ）。
【請求項２】
前記制御部は、さらに前記熱交換器を通過した空気の湿度の目標値と、外気湿度と、に基づいて、前記目標水温を設定する、
請求項１に記載の空調システム（１００、１００ａ、１００ｂ）。
【請求項３】
前記制御部は、さらに前記熱交換器の特性に基づいて前記目標水温を設定する、
請求項１又は２に記載の空調システム（１００、１００ａ、１００ｂ）。
【請求項４】
前記空気調和装置は、前記熱交換器を通過して前記対象空間へ流出する空気流を生成する空調ファン（３８）をさらに有し、
前記制御部は、さらに前記空調ファンの風量に基づいて、前記目標水温を設定する、
請求項１から３のいずれか１項に記載の空調システム（１００、１００ａ、１００ｂ）。
【発明の詳細な説明】
【技術分野】
【０００１】
本発明は、空調システムに関する。
【背景技術】
【０００２】
従来、特許文献１（実開昭５８−１１４４３２号公報）のように、水（熱媒体）を加熱又は冷却し吐出する熱源装置と、熱源装置から吐出される水によって加熱又は冷却した空気を対象空間に供給する複数の空気調和装置と、を有するセントラル空調方式の空調システムが知られている。特許文献１では、熱源装置から吐出される水の温度に関して、冷房運転時には外気温が高いほど冷水の温度を低く設定し、暖房運転時には外気温が低いほど温水の温度を高く設定する水温制御が行われている。
【発明の開示】
【発明が解決しようとする課題】
【０００３】
しかし、特許文献１のような従来のセントラル空調方式の空調システムでは、熱源装置の水温設定に関して、空気調和装置の熱交換器の特性については特に考慮されていない。このため、状況によっては、熱源装置のＣＯＰ（Coefficient of Performance）が向上しにくいケースが想定される。
【０００４】
そこで、本発明の課題は、省エネ性に優れる空調システムを提供することである。
【課題を解決するための手段】
【０００５】
本発明の第１観点に係る空調システムは、熱源装置と、空気調和装置と、制御部と、を備える。熱源装置は、水を加熱又は冷却して吐出する。空気調和装置は、熱交換器を有する。熱交換器は、通過する空気と、熱源装置から吐出される吐出水と、を熱交換させる。空気調和装置は、熱交換器を通過した空気を対象空間に送る。制御部は、目標水温を設定する。目標水温は、吐出水の温度の目標値である。制御部は、熱交換器を通過した空気の温度の目標値と、外気温と、に基づいて、目標水温を設定する。
【０００６】
本発明の第１観点に係る空調システムでは、制御部は、熱交換器を通過した空気の温度の目標値と、外気温と、に基づいて、目標水温を設定する。これにより、熱源装置における目標水温が、外気温と、空気調和装置の熱交換器を通過した空気の温度に係る目標値と、に基づき設定される。すなわち、熱源装置における目標水温が、状況に応じて変化する外気温度と、空気調和装置の熱交換器の特性と、に基づき設定される。これに関連して、熱源装置から吐出される水の温度が最適値に設定されやすくなる。このため、熱源装置のＣＯＰ向上が促進される。ひいては、空調システムの省エネ性が向上されうる。
【０００７】
なお、「空気調和装置」は、広く対象空間の空気調和を行う装置である。「空気調和装置」には、例えば、外気（ＯＡ）を取り込んで外気調和ユニットから給気として供給することで対象空間の空調（換気を含む）を行う外気調和装置や、室内ユニットによって対象空間内の空気である内気を冷却又は加熱して対象空間に供給することで対象空間の空調を行うエアコン室内機等が含まれる。
【０００８】
本発明の第２観点に係る空調システムは、第１観点に係る空調システムであって、制御部は、さらに、熱交換器を通過した空気の湿度の目標値と、外気湿度と、に基づいて、目標水温を設定する。これにより、熱源装置における目標水温が、空気調和装置から対象空間に送られる空気の湿度の目標値と、外気湿度と、に基づき設定される。すなわち、目標水温が、状況に応じて変化する外気温度及び外気湿度と、空気調和装置の熱交換器の特性と、に基づき設定される。これに関連して、熱源装置から吐出される水の温度が最適値に設定されることが精度よく促進される。このため、熱源装置のＣＯＰ向上がさらに促進され、特に対象空間に加湿した空気を送る加湿運転や除湿した空気を送る除湿運転を行う空調システムにおいて省エネ性が向上されうる。
【０００９】
本発明の第３観点に係る空調システムは、第１観点又は第２観点に係る空調システムであって、制御部は、さらに熱交換器の特性に基づいて、目標水温を設定する。これにより、熱源装置における目標水温が、直接的に熱交換器の特性に基づいて設定される。例えば、熱源装置における水温設定に関して、予め導出されている熱交換器の特性を考慮して、状況別に熱源装置の水温をモデル化或いは補正することが可能となる。これに関連して、熱源装置から吐出される水の温度が最適値に設定されることが精度よく促進される。このため、熱源装置のＣＯＰ向上がさらに促進される。
【００１０】
本発明の第４観点に係る空調システムは、第１観点から第３観点のいずれかに係る空調システムであって、空気調和装置は、空調ファンをさらに有する。空調ファンは、熱交換器を通過して対象空間へ流出する空気流を生成する。制御部は、さらに空調ファンの風量に基づいて、目標水温を設定する。
【００１１】
これにより、熱源装置における目標水温が、空気調和装置の風量に基づき設定される。すなわち、熱源装置における水温設定に関し、状況に応じて変化する外気温度と、空気調和装置の熱交換器の特性と、に基づき算出される目標水温を、熱交換器を通過する風量に応じてモデル化若しくは補正することが可能となる。これに関連して、熱源装置から吐出される水の温度が最適値に設定されることが精度よく促進される。このため、熱源装置のＣＯＰ向上がさらに促進される。
【発明の効果】
【００１２】
本発明の第１観点に係る空調システムでは、熱源装置における目標水温が、外気温と、空気調和装置の熱交換器を通過した空気の温度に係る目標値と、に基づき設定される。すなわち、熱源装置における目標水温が、状況に応じて変化する外気温度と、空気調和装置の熱交換器の特性と、に基づき設定される。これに関連して、熱源装置から吐出される水の温度が最適値に設定されやすくなる。このため、熱源装置のＣＯＰ向上が促進される。ひいては、空調システムの省エネ性が向上されうる。
【００１３】
本発明の第２観点に係る空調システムでは、熱源装置のＣＯＰ向上がさらに促進され、特に対象空間に加湿した空気を送る加湿運転や除湿した空気を送る除湿運転を行う空調システムにおいて省エネ性が向上されうる。
【００１４】
本発明の第３観点及び第４観点に係る空調システムでは、熱源装置のＣＯＰ向上がさらに促進される。
【図面の簡単な説明】
【００１５】
【図１】空調システムの設置態様を概略的に示した模式図。
【図２】空調システムの構成態様を概略的に示した模式図。
【図３】システム制御部、及びシステム制御部に接続される各部を模式的に示したブロック図。
【図４】システム制御部に含まれる機能部を模式的に記載したブロック図。
【図５】システム制御部の処理の流れの一例を示したフローチャート。
【図６】冷房運転時における負荷と水温の関係を模式的に示したグラフ。
【図７】変形例１に係る空調システムの設置態様を概略的に示した模式図。
【図８】変形例１に係る空調システムの構成態様を概略的に示した模式図。
【図９】変形例１に係るファンコイルユニットの対象空間における設置態様を概略的に示した模式図。
【図１０】変形例２に係る空調システムの設置態様を概略的に示した模式図。
【図１１】変形例２に係る空調システムの構成態様を概略的に示した模式図。
【図１２】変形例２に係るファンコイルユニットの対象空間における設置態様を概略的に示した模式図。
【発明を実施するための形態】
【００１６】
以下、本発明の一実施形態に係る空調システム１００について説明する。なお、以下の実施形態は、本発明の具体例であって、本発明の技術的範囲を限定するものではなく、本発明の趣旨を逸脱しない範囲で適宜変更可能である。
【００１７】
（１）空調システム１００の概要
図１は、空調システム１００の設置態様を概略的に示した模式図である。空調システム１００は、セントラル空調方式の空調システムであり、家屋、ビル、工場、公共施設等の建築物内に含まれる対象空間ＳＰにおいて空気調和を実現する。本実施形態において、空調システム１００は、複数（ここでは３つ）の対象空間ＳＰ（ＳＰ１、ＳＰ２、ＳＰ３）を含む建物ＢＬに適用されている。
【００１８】
空調システム１００は、外気ＯＡを取り込み調和して対象空間ＳＰに供給することで、対象空間ＳＰにおける冷房、暖房、換気、除湿及び／又は加湿等の空気調和を行う。外気ＯＡは、対象空間ＳＰ外の空気であり、本実施形態では屋外の空気である（図２参照）。
【００１９】
空調システム１００では、リモコン８０にコマンドを適宜入力することで、運転状態を切り換えられる。空調システム１００では、システム制御部９０が、リモコン８０に入力されたコマンド（発停、運転種別、設定温度、設定風量等に係るコマンド）、及び負荷状況（外気ＯＡの温度・湿度や、内気ＩＡの温度・湿度等）に応じて、各機器の運転状態を制御する。
【００２０】
（２）空調システム１００の詳細
図２は、空調システム１００の構成態様を概略的に示した模式図である。空調システム１００は、主として、チラーユニット２０と、エア・ハンドリングユニット（以下、「エアハンユニット」と記載）３０と、ダクトＤ１と、複数のリモコン８０と、システム制御部９０と、を有している。空調システム１００は、運転中、エアハンユニット３０において外気ＯＡを取り込み、冷却若しくは加熱、又は除湿若しくは加湿して、ダクトＤ１を介して給気ＳＡとして対象空間ＳＰに供給する。
【００２１】
空調システム１００では、水回路Ｃ１及び冷媒回路Ｃ２が、互いに独立して構成されている。
【００２２】
水回路Ｃ１は、外気ＯＡと熱交換を行う熱媒体（水：図２に示す「Ｗ」）が循環する回路である。水回路Ｃ１は、チラーユニット２０とエアハンユニット３０とに跨って構成されている。水回路Ｃ１は、主として、エアハンユニット３０に配置される空気熱交換器３３と、チラーユニット２０に配置される水熱交換器２２及び水ポンプＰａと、が第１配管Ｐ１で接続されることで構成されている。水回路Ｃ１では、運転中、水ポンプＰａが運転状態に制御されることで、水が所定方向（図２の二点鎖線矢印ｄ１が示す方向）に流れる。水回路Ｃ１における水の流量は、主として水ポンプＰａの回転数により調整される。なお、図２においては図示を省略しているが、水回路Ｃ１（第１配管Ｐ１上）には、水を合流・分流させるためのヘッダ集合管や水の流れを遮断するための開閉弁、水ポンプＰａとは別のポンプ等の機器が配置されている。
【００２３】
冷媒回路Ｃ２は、水回路Ｃ１内の水の冷却源となる冷媒が循環する回路である。冷媒回路Ｃ２は、チラーユニット２０内において構成されている。冷媒回路Ｃ２は、主として、チラーユニット２０に配置される圧縮機２１と、水熱交換器２２と、膨張弁２３と、室外熱交換器２４と、四路切換弁２５と、が第２配管Ｐ２で接続されることで構成されている。冷媒回路Ｃ２では、運転中、圧縮機２１が運転状態に制御されるとともに膨張弁２３の開度が制御されることで、冷媒が所定方向（正サイクル運転時には図２の二点鎖線矢印ｄ２が示す方向、逆サイクル運転時にはｄ２とは逆の方向）に流れ、蒸気圧縮冷凍サイクルが行われる。
【００２４】
（２−１）チラーユニット２０（熱源装置）
「熱源装置」の一例であるチラーユニット２０は、冷媒回路Ｃ２において冷凍サイクルを行うことで、水回路Ｃ１内の水の冷却又は加熱を行い、冷却又は加熱後の水（Ｗ）を吐出して運転中のエアハンユニット３０に送る。チラーユニット２０は、主として、圧縮機２１、水熱交換器２２、膨張弁２３、室外熱交換器２４、四路切換弁２５、室外ファン２６及び水ポンプＰａを有する。
【００２５】
圧縮機２１は、冷凍サイクルにおける低圧の冷媒を高圧になるまで圧縮する機器である。ここでは、圧縮機２１として、圧縮機モータを内蔵された密閉式構造の圧縮機が採用されている。圧縮機２１内には、例えばスクロール式等の容積式の圧縮要素（図示省略）が収容されており、圧縮機モータによって圧縮要素が回転駆動される。圧縮機モータは、インバータにより運転周波数を制御され、これにより圧縮機２１の容量制御が行われる。すなわち、圧縮機２１は、容量可変である。
【００２６】
水熱交換器２２は、水回路Ｃ１内の水と、冷媒回路Ｃ２内の低圧冷媒と、を熱交換させ、水を冷却又は加熱する熱交換器である。水熱交換器２２においては、水回路Ｃ１に連通する水流路と、冷媒回路Ｃ２に連通する冷媒流路とが形成されており、水熱交換器２２は、水流路内の水と冷媒流路内の冷媒とが熱交換可能に構成されている。水熱交換器２２は、正サイクル運転（冷房運転や除湿運転）中、低圧冷媒の蒸発器若しくは加熱器として機能して冷水を生成する。また、水熱交換器２２は、逆サイクル運転（暖房運転）中、高圧冷媒の凝縮器若しくは放熱器として機能して温水を生成する。
【００２７】
膨張弁２３は、冷媒の減圧手段又は流量調整手段として機能する弁である。本実施形態において、膨張弁２３は、開度制御が可能な電動膨張弁である。
【００２８】
室外熱交換器２４は、冷媒回路Ｃ２内の高圧冷媒と空気とを熱交換させ、冷媒を冷却又は加熱する熱交換器である。室外熱交換器２４は、冷媒回路Ｃ２に連通する伝熱管、及び伝熱フィンを有している。室外熱交換器２４では、伝熱管及び伝熱フィンの周囲を通過する空気（後述する室外空気流）と、伝熱管を通過する冷媒と、で熱交換が行われる。室外熱交換器２４は、正サイクル運転中、高圧冷媒の凝縮器若しくは放熱器として機能する。室外熱交換器２４は、暖房運転中、低圧冷媒の蒸発器若しくは加熱器として機能する。
【００２９】
四路切換弁２５は、冷媒回路Ｃ２の流れを切り換える。四路切換弁２５は、４つの接続ポートを有し、圧縮機２１の吸入配管、吐出配管、水熱交換器２２の冷媒流路のガス側、室外熱交換器２４のガス側、にそれぞれ接続されている。具体的に、四路切換弁２５は、第１状態と第２状態とを切換可能である。第１状態は、水熱交換器２２の冷媒流路のガス側と圧縮機２１の吸入配管とを連通させるとともに、圧縮機２１の吐出配管と室外熱交換器２４のガス側とを連通させる状態である（図２の四路切換弁２５の実線を参照）。第２状態は、圧縮機２１の吐出配管と水熱交換器２２の冷媒流路のガス側とを連通させるとともに、室外熱交換器２４のガス側と圧縮機２１の吸入配管とを連通させる状態である（図２の四路切換弁２５の破線を参照）。四路切換弁２５は、正サイクル運転時には第１状態に制御され、逆サイクル運転時には第２状態に制御される。
【００３０】
室外ファン２６は、室外空気流を生成する送風機である。室外空気流は、チラーユニット２０内に流入し室外熱交換器２４を通過してチラーユニット２０外に流出する空気の流れである。室外空気流は、正サイクル運転時における室外熱交換器２４内の冷媒の冷却源であり、逆サイクル運転時における室外熱交換器２４内の冷媒の加熱源である。室外ファン２６は、ファンモータを含み、ファンモータをインバータ制御されることで回転数を調整される。すなわち、室外ファン２６は、風量可変である。
【００３１】
水ポンプＰａは、水回路Ｃ１に配置されている。水ポンプＰａは、運転中、水を吸引して吐出する。水ポンプＰａは、駆動源であるモータを含み、モータをインバータ制御されることで回転数を調整される。すなわち、水ポンプＰａは、吐出流量可変である。
【００３２】
（２−２）エアハンユニット３０（空気調和装置）
「空気調和装置」の一例であるエアハンユニット３０は、外気ＯＡの冷却、除湿、加熱、及び／又は加湿を行う。エアハンユニット３０は、室外（対象空間ＳＰ外）に配置されている。
【００３３】
エアハンユニット３０は、主として、空気熱交換器３３、加湿器３５及び給気ファン３８を有している。
【００３４】
空気熱交換器３３（熱交換器）は、外気ＯＡの冷却器又は加熱器として機能する熱交換器である。空気熱交換器３３は、水回路Ｃ１に配置されている。空気熱交換器３３は、水回路Ｃ１に連通する伝熱管、及び伝熱フィンを有している。空気熱交換器３３では、伝熱管及び伝熱フィンの周囲を通過する外気ＯＡと、伝熱管を通過する水と、で熱交換が行われる。
【００３５】
加湿器３５は、空気熱交換器３３を通過した外気ＯＡを加湿するための機器である。加湿器３５の方式や型式は特に限定されないが、ここでは一般的な自然蒸発式の加湿器採用されている。
【００３６】
給気ファン３８（空調ファン）は、外気ＯＡをエアハンユニット３０内に取り込みダクトＤ１を介して対象空間ＳＰへ送る送風機である。給気ファン３８の型式については特に限定されないが、本実施形態において、給気ファン３８はシロッコファンが採用されている。ここで、エアハンユニット３０においては、外気ＯＡが流れる空気流路ＦＰが形成されており（図２に破線矢印「ＦＰ」を参照）、給気ファン３８が運転状態となると空気流路ＦＰに沿って外気ＯＡが流れる。給気ファン３８は、ファンモータを含み、ファンモータをインバータ制御されることで回転数を調整される。すなわち、給気ファン３８は、風量可変である。
【００３７】
エアハンユニット３０では、空気流路ＦＰの風上側から風下側に向かって、空気熱交換器３３、加湿器３５、及び給気ファン３８が順に配置されている。空気流路ＦＰの風下側の端部は、ダクトＤ１に接続されている。
【００３８】
また、エアハンユニット３０においては、各種センサが配置されている。エアハンユニット３０に配置される各種センサとしては、例えば、エアハンユニット３０内に吸入される外気ＯＡの温度を検出する外気温度センサＳ１、及び湿度を検出する外気湿度センサＳ２である。また、例えば、ダクトＤ１（すなわち対象空間ＳＰ）に送られる給気ＳＡの温度（給気温度）を検出する給気温度センサＳ３である。
【００３９】
（２−３）ダクトＤ１
ダクトＤ１は、給気ＳＡの流路を形成する部材である。ダクトＤ１は、給気ファン３８が駆動することでエアハンユニット３０から吐出される給気ＳＡが各対象空間ＳＰに送られるように、その一端がエアハンユニット３０に接続され、他端が対象空間ＳＰに形成された給気口Ｈ１に接続されている。より詳細には、ダクトＤ１の他端は、複数（対象空間ＳＰの数と同数）に分岐しており、各分岐先において対応する対象空間ＳＰの給気口Ｈ１に接続されている。給気口Ｈ１は、各対象空間ＳＰにおいて、壁、天井又は床等の部材に形成されている。
【００４０】
（２−４）リモコン８０
リモコン８０は、ユーザが空調システム１００の運転状態（エアハンユニット３０の発停、運転種別、設定温度、設定湿度、設定風量等）を個別に切り換える各種コマンドを入力するための入力装置である。また、リモコン８０は、所定の情報（例えば空調システム１００の運転状態、内気ＩＡの温度や湿度、又は外気ＯＡの温度や湿度等）を表示するための表示装置としても機能する。
【００４１】
また、リモコン８０においては、各種センサが配置されている。リモコン８０に配置される各種センサとしては、例えば、対象空間ＳＰの室内の空気（内気ＩＡ）の温度を検出する室内温度センサＳ４（図３）、湿度を検出する室内湿度センサＳ５（図３）、及び二酸化炭素濃度を検出する二酸化炭素濃度センサＳ６（図３）である。
【００４２】
（２−５）システム制御部９０（制御部）
システム制御部９０は、空調システム１００の動作を統括的に制御する機能部であり、具体的にはメモリやＣＰＵ等で構成されるコンピュータである。本実施形態において、システム制御部９０は、チラーユニット２０及びエアハンユニット３０等にそれぞれ配置される各マイクロコンピュータや各電装品が互いに電気的に接続されることで構成されている。システム制御部９０の詳細については、後述する。
【００４３】
（３）空調システム１００の運転中における水、冷媒及び空気の流れ
空調システム１００の運転時には、通常、水ポンプＰａが駆動し、水回路Ｃ１において水が循環する。また、圧縮機２１が駆動し、冷媒回路Ｃ２において冷媒が循環する。
【００４４】
運転中、水回路Ｃ１においては、水が、水熱交換器２２で、冷媒回路Ｃ２を流れる冷媒と熱交換を行うことで目標水温Tw,upとなるように冷却又は加熱される。水熱交換器２２において冷却又は加熱された水は、エアハンユニット３０に流入し空気熱交換器３３において外気ＯＡと熱交換を行うことで加熱又は冷却される。空気熱交換器３３を通過した水は、水熱交換器２２に再び流入する。
【００４５】
冷媒回路Ｃ２においては、冷房運転時に、冷媒が圧縮機２１において圧縮され、高圧冷媒として吐出される。圧縮機２１から吐出された高圧冷媒は、室外熱交換器２４で、空気（室外ファン２６が生成する室外空気流）と熱交換を行うことで凝縮又は放熱する。室外熱交換器２４を通過した冷媒は、膨張弁２３において減圧され低圧冷媒となった後、水熱交換器２２に流入する。水熱交換器２２に流入した低圧冷媒は、水回路Ｃ１を流れる水と熱交換を行うことで蒸発する又は加熱される。水熱交換器２２を通過した低圧冷媒は、再び圧縮機２１に吸入される。
【００４６】
冷媒回路Ｃ２においては、暖房運転時に、冷媒が圧縮機２１において圧縮され、高圧冷媒として吐出される。圧縮機２１から吐出された高圧冷媒は、水熱交換器２２で、水回路Ｃ１を流れる水と熱交換を行うことで凝縮又は放熱する。水熱交換器２２を通過した冷媒は、膨張弁２３において減圧され低圧冷媒となった後、室外熱交換器２４に流入する。室外熱交換器２４に流入した低圧冷媒は、空気（室外ファン２６が生成する室外空気流）と熱交換を行うことで蒸発する又は加熱される。室外熱交換器２４を通過した低圧冷媒は、再び圧縮機２１に吸入される。
【００４７】
運転中のエアハンユニット３０の空気熱交換器３３においては、外気ＯＡが水と熱交換を行うことで冷却、除湿、又は加熱される。空気熱交換器３３を通過した空気は、給気ＳＡとして対象空間ＳＰに送られる。この際、加湿器３５が運転状態にある場合には、空気熱交換器３３を通過した空気は、加湿器３５によって加湿された後に給気ＳＡとして対象空間ＳＰに送られる。
【００４８】
（４）システム制御部９０の詳細
図３は、システム制御部９０、及びシステム制御部９０に接続される各部を模式的に示したブロック図である。システム制御部９０は、空調システム１００に含まれる各機器と配線を介して接続されている。システム制御部９０は、各機器（２１、２３、２５、２６、３５、３８、Ｐａ等）に対して所定の制御信号を送信することで各機器の動作を制御する。また、システム制御部９０は、各センサ（Ｓ１−Ｓ６）の検出値を取得する。また、システム制御部９０は、配線を介してリモコン８０と電気的に接続されており信号の送受信を行う。
【００４９】
システム制御部９０は、設定温度（例えば給気温度の目標値；目標給気温度Tsa等）や負荷の状況（外気ＯＡの温度（外気温度Toa）や湿度Xoa）に応じて、水回路Ｃ１を循環する水の温度の目標値（目標水温Tw,up）を設定し、目標水温Tw,upや入力コマンドに基づき各部の動作（例えば圧縮機２１の容量、膨張弁２３の開度、四路切換弁２５の状態、室外ファン２６の回転数、水ポンプＰａの回転数、加湿器３５の発停、又は給気ファン３８の回転数等）を適宜調整する。これにより、空調システム１００の運転容量が適宜変更される。
【００５０】
なお、システム制御部９０は、外気ＯＡの顕熱処理を行わずに供給することによって冷房を行う場合（すなわち外気冷房運転を行う場合）には、チラーユニット２０及びエアハンユニット３０における各部の運転を休止・停止させる。
【００５１】
図４は、システム制御部９０に含まれる機能部を模式的に記載したブロック図である。図４に示すように、システム制御部９０は、記憶部９１、取得部９２、運転状態制御部９３、機器制御部９４等の機能部を含んでいる。なお、各機能部は、メモリ、ＣＰＵ及び／又は各種電気部品が、単独に又は連携して機能することで実現される。
【００５２】
（４−１）記憶部９１
記憶部９１は、ＲＡＭ、ＲＯＭ、フラッシュメモリ等の各種メモリによって構成され、複数の記憶領域が含まれている。例えば、記憶部９１には、プログラム記憶領域９１１、コマンド記憶領域９１２、状態記憶領域９１３、及び現地情報記憶領域９１４等が含まれている。
【００５３】
プログラム記憶領域９１１は、システム制御部９０の各部において実行される制御プログラムを記憶している。制御プログラムは、管理者によって適宜更新される。
【００５４】
コマンド記憶領域９１２は、ユーザによって入力されたコマンド（例えば、運転種別、設定温度、設定風量等に係るコマンド）を記憶している。
【００５５】
状態記憶領域９１３は、各センサ（Ｓ１−Ｓ６等）の検出値や、エアハンユニット３０の運転状態（例えば目標給気温度Tsa等）、チラーユニット２０の運転状態（例えば圧縮機２１の周波数、四路切換弁２５の状態、室外ファン２６の回転数や水ポンプＰａの回転数等）を特定する情報を記憶している。
【００５６】
現地情報記憶領域９１４は、空調システム１００が適用されている現地（ここでは建物ＢＬ）に係る情報（地域や設置階数等を特定する情報）を記憶している。
【００５７】
（４−２）取得部９２
取得部９２は、制御プログラムに沿って、所定のタイミングで、他の機器から所定の情報（例えば各種センサの検出値等）を取得する。
【００５８】
（４−３）運転状態制御部９３
運転状態制御部９３は、制御プログラムに沿って、状況に応じて空調システム１００の運転状態を制御する。具体的に、運転状態制御部９３は、記憶部９１に記憶されている各種情報に基づき、各機器の制御に係るパラメータを設定する。例えば、運転状態制御部９３は、変化する熱負荷に応じて目標水温Tw,upを設定する。
【００５９】
（４−４）機器制御部９４
機器制御部９４は、制御プログラムに沿って、運転状態制御部９３の決定内容に応じて、各機器に対して所定の駆動信号（駆動電圧）を出力する。なお、機器制御部９４は、複数のインバータ（図示省略）を含み、所定の機器に対しては、対応するインバータを介して駆動信号を出力する。
【００６０】
（５）システム制御部９０による処理の流れ
図５は、システム制御部９０の処理の流れの一例を示したフローチャートである。システム制御部９０は、例えば以下のような流れで、空調システム１００の運転を制御する。なお、図５に示す処理の流れは、一例であり適宜変更可能である。例えば、矛盾のない範囲でステップの順序が変更されてもよいし、一部のステップが他のステップと並列的に実行されてもよいし、他のステップが新たに追加されてもよい。
【００６１】
ステップＳ１０１において、システム制御部９０は、運転を行わせる運転コマンドが入力されていない場合又は運転を停止させるコマンドが入力されている場合（ＮＯの場合）にはステップＳ１０２に進み、運転コマンドが入力されている場合（ＹＥＳの場合）にはステップＳ１０３に進む。
【００６２】
ステップＳ１０２において、システム制御部９０は、空調システム１００を運転停止状態とする。その後、ステップＳ１０１に戻る。
【００６３】
ステップＳ１０３において、システム制御部９０は、入力されている各種コマンド（運転種別、設定温度、設定湿度、設定風量等）を取得する。その後、ステップＳ１０４へ進む。
【００６４】
ステップＳ１０４において、システム制御部９０は、各種センサ（Ｓ１−Ｓ６）の検出値をそれぞれ取得する。その後、ステップＳ１０５へ進む。
【００６５】
ステップＳ１０５において、システム制御部９０は、取得した各種コマンド及び各種センサの検出値に基づき、処理する熱負荷を算出する。その後、ステップＳ１０６へ進む。
【００６６】
ステップＳ１０６において、システム制御部９０は、算出した熱負荷に基づき、目標水温Tw,upを設定する。その後、ステップＳ１０７へ進む。
【００６７】
ステップＳ１０７において、システム制御部９０は、取得した各コマンド及び目標水温Tw,up等に基づき、各機器の動作状態を制御する。その後、ステップＳ１０１に戻る。
【００６８】
（６）目標水温の設定について
（６―１）外気温度及び目標給気温度を用いた目標水温の設定
（６―１−１）
従来における目標水温の設定については、基本的に、冷房運転時には外気温度が高いほど目標水温が低く設定され、暖房運転時には外気温度が低いほど目標水温が高く設定される、という方法が採用されていた。しかし、セントラル空調方式の空調システムでは、接続するエアハンドリングユニット及びファンコイルユニット毎に負荷率が異なるため要求水温にばらつきがあり、また要求水温を推定することも容易ではなく、外気条件による目標水温の設定を適切に行うことが難しかった。これに関連して、チラーユニット（熱源装置）のＣＯＰ向上が難しく、ひいては空調システム１００の省エネ性向上を図ることが難しかった。
【００６９】
空調システム１００では、空気熱交換器３３の熱交換器特性に合わせて、空気熱交換器３３の入口空気温度である外気温度Toaと、空気熱交換器３３の出口空気温度である給気温度の目標値（すなわち目標給気温度Tsa）と、に基づいて目標水温Tw,upが設定される。すなわち、水回路Ｃ１における水の温度に関し、目標水温Tw,upが、状況に応じて変化する外気温度Toaと、エアハンユニット３０の空気熱交換器３３の特性と、に基づき設定される。これに関連して、チラーユニット２０から吐出される水の温度が最適値に設定されることが促進されている。このため、チラーユニット２０のＣＯＰ向上が促進され、空調システム１００の省エネ性向上が促進されている。
【００７０】
暖房運転時の加湿ありの場合（すなわち加湿器３５を運転させる場合）には、目標給気温度Tsaは、外気絶対湿度条件における給気ＳＡのエンタルピの目標値に係る温度として設定される。
【００７１】
（６―１―２）
具体的に、空調システム１００においては、例えば以下の式１が用いられ、目標給気温度Tsa、外気温度Toa及び空気熱交換器３３の熱交換器特性値（a,b,c）に基づいて目標水温Tw,upが算出される。
【式１】
【００７２】
2018173221.tif 000003
【００７３】
（６―１―３）
図６は、冷房運転時における負荷と水温の関係を模式的に示したグラフである。図６において横軸は負荷の大きさを表わしており、縦軸はチラーユニット２０から吐出される水の温度を表わしている。また、図６において一点鎖線Ｘ１は、空気熱交換器３３において負荷を処理できる水温の上限値を示している。また、図６において二点鎖線Ｘ２は、空気熱交換器３３において負荷を処理できる水温の下限値を示している。また、一点鎖線Ｘ１及び二点鎖線Ｘ２によって形成される略台形状の領域Ｚ１（ハッチング部分）は、負荷を適切に処理可能な水温の範囲を示している。
【００７４】
冷房運転時には、一般的に、水温が高いほど熱源のCOPが高くなるので、各負荷での上限水温で運転することが省エネ上、好ましい。図６に示すように、冷房運転時において負荷が小さい時には、水温を上げても（すなわち能力を下げても）負荷を適切に処理することが可能である。空調システム１００では、領域Ｚ１の範囲内で目標水温Tw,upが設定される。なお、図６におけるTw1及びTw2は設計仕様や設置環境に応じて変化するが、一例を挙げるとすればTw1は１６℃でありTw2は５℃である。
【００７５】
（６―１―４）
空気熱交換器３３における水と外気ＯＡとの熱交換量Qpv（すなわち負荷の処理能力）については、高温側の空気温度Tair（外気温度Toa）と、低温側の冷水温度Twaterと、の温度差をタスクフォースとして、空気と冷水の水当量の小さい側の水当量Hmin（一般的に空気側の水当量）及び空気熱交換器３３の温度効率εを用いて、以下の式２のように表わされる。
【式２】
【００７６】
2018173221.tif 000004
【００７７】
（６―１―５）
水量を制御することで温度効率εが制御され、結果として能力（熱交換量）Qpvが負荷と一致するように、目標水温Tw,upが設定される。一方で、負荷Qloadが変化した時に、各負荷での上限目標水温Tw,upは、水量が最大の時の温度効率ε’を用いて（この温度効率ε’が変化しないと仮定して）以下の式３のように表される。冷房運転時には、上限目標水温Tw,upは、負荷に比例して低下する。
【式３】
【００７８】
2018173221.tif 000005
【００７９】
（６―１―６）
なお、負荷Qloadについては、以下の式４のように、外気温度Toaが所定値以上（外気負荷が発生する外気温度Toa,load）となったときに生じ、外気温度Toaに比例する以下のモデルが存在する。
【式４】
【００８０】
2018173221.tif 000006
【００８１】
また、負荷Qloadについては、目標給気温度Tsa及び空気側の水当量Hairを用いて以下の式５のようにも表わされる。
【式５】
【００８２】
2018173221.tif 000007
【００８３】
（６―１―７）
外気温度、目標給気温度、上限水温の関係については、空気と冷水の水当量の小さい側の水当量Hminが空気側の水当量Hairとして、式６のようになる。冷房運転時には、目標水温Tw,upは、目標給気温度Tsaに比例して増加し、空気温度Tair（外気温度Toa）に比例して低下する。
【式６】
【００８４】
2018173221.tif 000008
【００８５】
（６―１―８）
例えば、空気熱交換器３３が、外気温度Toaが３５℃の場合に給気ＳＡの温度が１６℃となり水温が７℃から１2℃に変化するような特性を有するものであれば、熱交換器特性ε’については式７のように算出される。
【式７】
【００８６】
2018173221.tif 000009
【００８７】
係る場合に、目標水温Tw,upは、式８を用いて以下のように設定されうる。
【式８】
【００８８】
2018173221.tif 000010
【００８９】
すなわち、外気温度Toaと目標水温Tw,upは、例えば以下の表１のような関係となる。表１では、冷房運転時に外気温度Toaの増加に応じて目標水温Tw,upが所定の割合で低下する様子が示されている（なお、暖房運転時には、逆に外気温度Toaの低下に応じて目標水温Tw,upが所定の割合で増加する）。
【００９０】
【表１】
2018173221.tif 000011
【００９１】
（６―１―９）
上述したような熱交換器特性（ε’＝0.5〜0.8）によれば、式１において、aは１以上、ｂは０．２５〜１である。ｃは物件ごとの負荷特性による修正項である。なお、目標給気温度Tsaについては、可変制御とした場合でも大きな変更はないので、平均値を用いてもよい。
【００９２】
（６―１―１０）
冷房運転時には、目標水温Tw,upは、外気温度Toaが高いほど目標水温Tw,upが低くなる線形一次式で表わされるが、以下の表２に示すように外気温度Toaによってステップ上に変化させて各ステップ値に変更してから一定時間が経過するまでは変更しないようにしてもよい。表２において横軸は外気温度Toaを表しており、縦軸は目標水温Tw,upを表している。なお、外気湿度Xoaが高い時は、変水温としない領域を設けてもよい。また、室内の温湿度環境や水ポンプＰａの運転状態（変流量ポンプのインバータ周波数が上限近くである場合等）等に応じて、目標水温Tw,upを変化させてもよい。
【００９３】
【表２】
2018173221.tif 000012
【００９４】
（６―２）外気湿度及び目標給気湿度を用いた目標水温の設定
（６―２―１）
また、空調システム１００においては、例えば以下の式９が用いられ、給気温度Tsa、外気温度Toa、目標給気湿度Xsa、外気湿度Xoa及び空気熱交換器３３の熱交換器特性値（a1,a2,b,d）に基づいて目標水温Tw,upが算出される。
【式９】
【００９５】
2018173221.tif 000013
【００９６】
（６―２―２）
暖房運転時において加湿有りの場合（すなわち加湿器３５を運転させる場合）には、給気ＳＡの温度は、外気湿度Xoaが低いほど、目標給気湿度Xsaが高いほど、目標給気温度Tsaが高いほど、高くなる。よって、目標水温Tw,upも目標給気温度Tsaに比例する。
【００９７】
そして、空気熱交換器３３を通過した空気のエンタルピhoutと給気ＳＡの給気エンタルピhsaが同じであるので、空気熱交換器３３を通過後の空気の温度Toutは以下の式１０のようになる。
【式１０】
【００９８】
2018173221.tif 000014
【００９９】
（６―２―３）
そして、目標水温Tw,upは、空気熱交換器３３を通過した空気の温度Toutを用いて以下の式１１のように設定される。なお、熱交換器特性（ε’＝0.5〜0.8）に関連して、a1は１以上、a2は2500以上、ｂは０．２５〜１であり、ｄは物件ごとの負荷特性による修正項である。
【式１１】
【０１００】
2018173221.tif 000015
【０１０１】
（６―２―４）
なお、冷房運転時の目標水温Tw,upと同様に、暖房運転時の目標水温Tw,upを外気湿度Xoaによってステップ上に変化させて各ステップ値に変更してから一定時間までは変更しないようにしてもよい。
【０１０２】
（６―３）給気ファンの風量を用いた目標水温の設定
また、空調システム１００においては、例えば以下の式１２が用いられ、風量に基づいて目標水温Tw,upが算出（補正）される。なお、Ga,i,Cはエアハンユニット３０の中で最も風量比が小さいi番目の定格風量であり、Ga,iはエアハンユニット３０の中で最も風量比が小さいi番目の変風量である。
【式１２】
【０１０３】
2018173221.tif 000016
【０１０４】
（６―４）外気温度、室内温度と上限水温の関係
室内温度の目標値Tra、定格室内温度Tra,c、定格水温Tw,c、空気温度Tair、定格外気温（設計点）Tair,c、外気負荷が発生する空気温度Tair,loadを用いると、冷房運転時における目標水温Tw,upは式１３のように表わされる。
【式１３】
【０１０５】
2018173221.tif 000017
【０１０６】
（７）特徴
（７−１）
上記実施形態に係る空調システム１００では、システム制御部９０によって、空気熱交換器３３を通過した空気の温度の目標値（目標給気温度Tsa）と、外気温度Toaと、に基づいて、目標水温Tw,upが設定される。すなわち、チラーユニット２０における目標水温Tw,upが、状況に応じて変化する外気温度Toaと、エアハンユニット３０の空気熱交換器３３の特性と、に基づき設定される。これに関連して、チラーユニット２０から吐出される水の温度が最適値に設定されやすくなる。このため、チラーユニット２０のＣＯＰ向上が促進されている。ひいては、空調システム１００の省エネ性向上が促進されている。
【０１０７】
（７−２）
また、上記実施形態に係る空調システム１００では、システム制御部９０によって、目標給気湿度Xoa（空気熱交換器３３を通過した空気の湿度の目標値）と、外気湿度Xoaと、に基づいても、目標水温Tw,upが設定される。すなわち、目標水温Tw,upが、状況に応じて変化する外気温度Toa及び外気湿度Xoaと、エアハンユニット３０の空気熱交換器３３の特性と、に基づき設定される。これに関連して、チラーユニット２０から吐出される水の温度が最適値に設定されることが精度よく促進されている。このため、チラーユニット２０のＣＯＰ向上が促進され、特に対象空間ＳＰに加湿した空気を送る加湿運転や除湿した空気を送る除湿運転を行う空調システム１００において省エネ性向上が促進されている。
【０１０８】
（７−３）
上記実施形態に係る空調システム１００では、システム制御部９０によって、空気熱交換器３３の特性に基づいて、目標水温Tw,upが設定される。すなわち、目標水温Tw,upが、直接的に空気熱交換器３３の特性に基づいて設定される。例えば、目標水温Tw,upに関して、予め導出されている空気熱交換器３３の特性を考慮して、状況別にモデル化或いは補正することが可能となっている。これに関連して、チラーユニット２０から吐出される水の温度が最適値に設定されることが精度よく促進されている。このため、チラーユニット２０のＣＯＰ向上が促進されている。
【０１０９】
（７−４）
上記実施形態に係る空調システム１００では、システム制御部９０によって、給気ファン３８の風量に基づいても、目標水温Tw,upが設定される。すなわち、目標水温Tw,upに関し、状況に応じて変化する外気温度Toaと、エアハンユニット３０の空気熱交換器３３の特性と、に基づき算出される目標水温Tw,upが、空気熱交換器３３を通過する風量に応じてモデル化若しくは補正されうるようになっている。これに関連して、チラーユニット２０から吐出される水の温度が最適値に設定されることが精度よく促進されている。このため、チラーユニット２０のＣＯＰ向上がさらに促進されている。
【０１１０】
（８）変形例
上記実施形態は、以下の変形例に示すように適宜変形が可能である。なお、各変形例は、矛盾が生じない範囲で他の変形例と組み合わせて適用されてもよい。
【０１１１】
（８−１）変形例１
空調システム１００は、図７及び図８に示すような空調システム１００ａのように構成されてもよい。以下、空調システム１００ａの、空調システム１００とは異なる部分について説明する。
【０１１２】
図７は、空調システム１００ａの設置態様を概略的に示した模式図である。図８は、空調システム１００ａの構成態様を概略的に示した模式図である。空調システム１００ａは、エアハンユニット３０に代えて、ファンコイルユニット３０ａを複数（ここでは対象空間ＳＰと同数）有している。空調システム１００ａでは、運転中、ファンコイルユニット３０ａにおいて対象空間ＳＰの空気（内気ＩＡ）を取り込み、冷却若しくは加熱、又は除湿若しくは加湿して、給気ＳＡとして対象空間ＳＰに供給する。
【０１１３】
空調システム１００では、水回路Ｃ１に代えて水回路Ｃ１´が構成されている。水回路Ｃ１´は、チラーユニット２０と各ファンコイルユニット３０ａとに跨って構成されている。水回路Ｃ１´は、主として、各ファンコイルユニット３０ａに配置される空気熱交換器３３と、チラーユニット２０に配置される水熱交換器２２及び水ポンプＰａと、が第１配管Ｐ１で接続されることで構成されている。
【０１１４】
「空気調和装置」の一例であるファンコイルユニット３０ａは、外気ＯＡの冷却、除湿、加熱、及び／又は加湿を行う。ファンコイルユニット３０ａは、対象空間ＳＰに配置されている。本実施形態において、ファンコイルユニット３０ａは、いずれかの対象空間ＳＰに対応付けられており、対応する対象空間ＳＰに設置されている。図９は、対象空間ＳＰにおけるファンコイルユニット３０ａの設置態様を概略的に示した模式図である。本実施形態において、各ファンコイルユニット３０ａは、対象空間ＳＰの天井ＣＬに設置される天井埋込型である。図９に示すように、各ファンコイルユニット３０ａは、対象空間ＳＰにおいて吹出口が天井ＣＬから露出するように設置されている。
【０１１５】
各ファンコイルユニット３０ａは、エアハンユニット３０と同様に、空気熱交換器３３、加湿器３５及び給気ファン３８を有しており、内気ＩＡが流れる空気流路ＦＰ´の風上側から風下側に向かって、空気熱交換器３３、加湿器３５、及び給気ファン３８が順に配置されている。各ファンコイルユニット３０ａにおいて、空気流路ＦＰ´の風下側の端部は、対象空間ＳＰに連通している。ファンコイルユニット３０ａは、エアハンユニット３０とは異なり、ダクトＤ１に接続されていない。ファンコイルユニット３０ａは、外気ＯＡを取り込んで対象空間ＳＰに供給するのではなく、内気ＩＡを取り込んで冷却、除湿、加熱又は加湿したうえで対象空間ＳＰに給気ＳＡとして送る。
【０１１６】
このようなファンコイルユニット３０ａを有する空調システム１００ａにおいても、上記実施形態と同様の手法で目標水温Tw,upを設定することで、チラーユニット２０のＣＯＰ向上が促進され、省エネ性向上が促進される。
【０１１７】
また、空調システム１００ａにおいて、ファンコイルユニット３０ａとエアハンユニット３０が混合して配置される場合であっても、上記実施形態の手法を応用して目標水温Tw,upを設定することで、チラーユニット２０のＣＯＰ向上が促進され、省エネ性向上が促進される。例えば、エアハンユニット３０に関して算出される目標水温Tw,upと、ファンコイルユニット３０ａに関して算出される目標水温Tw,upのうち、冷房運転時には低いほうを目標水温Tw,upとし、暖房運転時には高いほうを目標水温Tw,upとすることで対象空間ＳＰにおける快適性を実現しつつ省エネ性向上を図ること等が考えられる。
【０１１８】
なお、ファンコイルユニット３０ａの台数については、必ずしも対象空間ＳＰと同数には限定されず、対象空間ＳＰの数より多くても少なくてもよい。係る場合、一つの対象空間ＳＰに複数のファンコイルユニット３０ａが配置されてもよい。
【０１１９】
（８−２）変形例２
また、上記変形例１に係る空調システム１００ａは、図１０及び図１１に示すような空調システム１００ｂのように構成されてもよい。以下、空調システム１００ｂの、空調システム１００ａとは異なる部分について説明する。
【０１２０】
図１０は、空調システム１００ｂの設置態様を概略的に示した模式図である。図１１は、空調システム１００ｂの構成態様を概略的に示した模式図である。空調システム１００ｂは、ファンコイルユニット３０ａに代えて、ファンコイルユニット３０ｂを有している。空調システム１００ｂでは、運転中、ファンコイルユニット３０ｂにおいてダクトＤ２を介して外気ＯＡを取り込み、冷却若しくは加熱、又は除湿若しくは加湿して、給気ＳＡとして対象空間ＳＰに供給する。
【０１２１】
「空気調和装置」の一例であるファンコイルユニット３０ｂは、ファンコイルユニット３０ａと同様に、空気熱交換器３３、加湿器３５及び給気ファン３８を有しており、外気ＯＡが流れる空気流路ＦＰの風上側から風下側に向かって、空気熱交換器３３、加湿器３５、及び給気ファン３８が順に配置されている。ファンコイルユニット３０ｂは、ファンコイルユニット３０ａとは異なり、空気流路ＦＰの風上側端部においてダクトＤ２に接続されている。ファンコイルユニット３０ｂは、ダクトＤ２を介して外気ＯＡを取り込んで冷却、除湿、加熱又は加湿したうえで対象空間ＳＰに給気ＳＡとして送る。
【０１２２】
本実施形態において、ファンコイルユニット３０ｂは、いずれかの対象空間ＳＰに対応付けられており、対応する対象空間ＳＰに設置されている。図１２は、対象空間ＳＰにおけるファンコイルユニット３０ｂの設置態様を概略的に示した模式図である。本実施形態において、各ファンコイルユニット３０ｂは、対象空間ＳＰの天井ＣＬに設置される天井埋込型である。図１２に示すように、各ファンコイルユニット３０ｂは、対象空間ＳＰにおいて吹出口が天井ＣＬから露出するように設置されている。
【０１２３】
ダクトＤ２は、外気ＯＡの流路を形成する部材である。ダクトＤ２は、給気ファン３８が駆動することで外気ＯＡがファンコイルユニット３０ｂに取り込まれるように、その一端が対応するファンコイルユニット３０ｂに接続され、他端が対象空間ＳＰに形成された吸気口Ｈ２に接続されている。
【０１２４】
このようなファンコイルユニット３０ｂを有する空調システム１００ｂにおいても、上記実施形態と同様の手法で目標水温Tw,upを設定することで、チラーユニット２０のＣＯＰ向上が促進され、省エネ性向上が促進される。
【０１２５】
また、空調システム１００ｂにおいて、ファンコイルユニット３０ｂと、エアハンユニット３０及び／又はファンコイルユニット３０ａとが混合して配置される場合であっても、上記実施形態と同様の手法又は応用手法を用いて目標水温Tw,upを設定することで、チラーユニット２０のＣＯＰ向上が促進され、省エネ性向上が促進される。
【０１２６】
（８−３）変形例３
上記実施形態における空調システム１００は、暖房運転を行わないように構成されてもよい。すなわち、チラーユニット２０がヒートポンプ式でなくてもよい。
【０１２７】
また、上記実施形態における空調システム１００において、加湿器３５は、適宜省略されてもよい。すなわち、空調システム１００は、加湿運転を行わないように構成されてもよい。
【０１２８】
（８−４）変形例４
上記実施形態では、空調システム１００が３つの対象空間ＳＰを形成される建物ＢＬに適用される場合について説明した。しかし、空調システム１００の設置環境については特に限定されない。例えば空調システム１００は、４つ以上の対象空間ＳＰを形成される建物に適用されてもよい。また、例えば空調システム１００は、２つ以下（１つを含む）の対象空間ＳＰを形成される建物に適用されてもよい。係る場合、エアハンユニット３０の台数については対象空間ＳＰの数に応じて適宜変更されてもよい。また、１つの対象空間ＳＰに複数台のファンコイルユニットが配置されてもよい。
【０１２９】
（８−５）変形例５
上記実施形態では、空調システム１００は、１台のチラーユニット２０と、１台のエアハンユニット３０とを有していた。しかし、空調システム１００が有するチラーユニット２０及びエアハンユニット３０の台数については必ずしも１台には限定されず、設置環境や設計仕様に応じて適宜変更が可能である。すなわち、空調システム１００は、チラーユニット２０、及び／又はエアハンユニット３０をそれぞれ複数有していてもよい。なお、チラーユニット２０及びエアハンユニット３０の台数は、必ずしも同数である必要はない。
【０１３０】
（８−６）変形例６
上記実施形態では、エアハンユニット３０が導入空気が全外気である場合について説明した。しかし、エアハンユニット３０における導入空気については特に限定されない。例えばエアハンユニット３０においては、導入空気が外気と還気の混合又は全内気等であってもよい。
【０１３１】
（８−７）変形例７
上記実施形態において構成される冷媒回路（Ｃ２）の構成態様については、設置環境や設計仕様に応じて適宜変更が可能である。例えば暖房運転について省略される場合には四路切換弁２５については省略されてもよい。また、室外熱交換器２４の代わりに水熱交換器を配置し、水熱交換器において冷媒と水とを熱交換させることで、冷媒の冷却又は加熱が行われるように構成されてもよい。また、エアハンユニット３０において構成される水回路Ｃ１の構成態様についても設置環境や設計仕様に応じて適宜変更が可能である。
【０１３２】
（８−８）変形例８
上記実施形態における冷媒回路（Ｃ２）を循環する冷媒としては、Ｒ３２やＲ４１０ＡのようなＨＦＣ冷媒が想定されるが、必ずしもＨＦＣ冷媒である必要は無く、他の冷媒（例えばＨＦＯ１２３４ｙｆ、ＨＦＯ１２３４ｚｅ（Ｅ）やＣＯ２やアンモニア等）が用いられてもよい。また、水回路Ｃ１において循環する熱媒体についても必ずしも水である必要はなく、他の流体が採用されてもよい。
【０１３３】
（８−９）変形例９
空調システム１００に含まれる各種センサの配置位置は、上記実施形態における態様に必ずしも限定されず、適宜変更が可能である。例えば、外気温度センサＳ１、外気湿度センサＳ２、及び給気温度センサＳ３は、必ずしもエアハンユニット３０に配置される必要はなく、他のユニットに配置されてもよいし、独立して配置されてもよい。また、室内温度センサＳ４、室内湿度センサＳ５、及び／又は二酸化炭素濃度センサＳ６は、必ずしもリモコン８０に配置される必要はなく、他のユニットに配置されてもよいし、独立して配置されてもよい。
【０１３４】
（８−１０）変形例１０
上記実施形態では、システム制御部９０の設置態様について特に説明していなかったが、システム制御部９０の設置態様については適宜選択が可能である。例えば、システム制御部９０は、建物ＢＬの管理室に配置されてもよいし、ＷＡＮやＬＡＮで通信可能に接続された遠隔地に設置されてもよい。
【０１３５】
また、システム制御部９０の構成態様についても適宜変更されてもよい。例えば図４に示される各機能部（９１−９４）は必ずしも一体に配置される必要はなく、分散して配置される各機能部が通信ネットワークで接続されることでシステム制御部９０が構成されてもよい。また、システム制御部９０は、１台のコンピュータ内において構成されてもよいし、複数のデバイス（例えばＰＣやスマートフォン等）が接続されることで構成されてもよい。
【０１３６】
（８−１１）変形例１１
目標水温Tw,upの設定態様については、必ずしも上記実施形態において説明したものには限定されず、目標水温Tw,upが外気温度Toaとエアハンユニット３０の空気熱交換器３３の特性とに基づき設定されることでチラーユニット２０のＣＯＰ向上を促進させるものである限り、設計仕様や設置環境に応じて適宜変更が可能である。例えば、上記「（６）目標水温の設定について」において説明したいずれかの内容については、より最適化を図るべく変更されてもよいし、適宜省略されてもよい。また、各式や用いられる変数についても適宜変更可能である。
【産業上の利用可能性】
【０１３７】
本発明は、空調システムに利用可能である。
【符号の説明】
【０１３８】
２０        ：チラーユニット（熱源装置）
２１        ：圧縮機
２２        ：水熱交換器
２３        ：膨張弁
２４        ：室外熱交換器
２５        ：四路切換弁
２６        ：室外ファン
３０        ：エアハンドリングユニット（空気調和装置）
３０ａ、３０ｂ：ファンコイルユニット（空気調和装置）
３３        ：空気熱交換器（熱交換器）
３５        ：加湿器
３８        ：給気ファン（空調ファン）
８０        ：リモコン
９０        ：システム制御部（制御部）
９１        ：記憶部
９２        ：取得部
９３        ：運転状態制御部
９４        ：機器制御部
１００、１００ａ、１００ｂ：空調システム
ＢＬ        ：建物
Ｃ１        ：水回路
Ｃ２        ：冷媒回路
ＣＬ        ：天井
Ｄ１、Ｄ２  ：ダクト
ＦＰ、ＦＰ´：空気流路
Ｈ１        ：給気口
Ｈ２        ：吸気口
ＩＡ        ：内気
ＯＡ        ：外気
Ｐ１        ：第１配管
Ｐ２        ：第２配管
Ｐ３        ：第３配管
Ｐａ        ：水ポンプ
Ｓ１        ：外気温度センサ
Ｓ２        ：外気湿度センサ
Ｓ３        ：給気温度センサ
Ｓ４        ：室内温度センサ
Ｓ５        ：室内湿度センサ
Ｓ６        ：二酸化炭素濃度センサ
ＳＡ        ：給気
ＳＰ        ：対象空間
Ｗ          ：水（吐出水）
【先行技術文献】
【特許文献】
【０１３９】
【特許文献１】実開昭５８−１１４４３２号公報
【図１】
2018173221.tif 000018
【図２】
2018173221.tif 000019
【図３】
2018173221.tif 000020
【図４】
2018173221.tif 000021
【図５】
2018173221.tif 000022
【図６】
2018173221.tif 000023
【図７】
2018173221.tif 000024
【図８】
2018173221.tif 000025
【図９】
2018173221.tif 000026
【図１０】
2018173221.tif 000027
【図１１】
2018173221.tif 000028
【図１２】
2018173221.tif 000029